(57)【要約】      （修正有）【課題】コンテナに収納される収納物の大きさ・形状・数に受ける制約を減少させ、利便性を向上させるコンテナを提供する。【解決手段】平面視矩形状のコンテナ本体１０と、レール部３４を備えるとともにコンテナ本体１０に固定可能な固定部材３０ａ，３０ｂとレール部３４に対してスライド固定可能なスライド部材５４が取り付けられた複数個以上の各々独立した収納袋４０，６０とを備えた。収納袋４０，６０は気泡付きプラスチック製シートにより構成し、スライド部材５４は、収納袋４０，６０に対して、長さを調節可能な取り付けベルト５３によって取り付けた。【選択図】図１
0003164741.tif 000002
【実用新案登録請求の範囲】
【請求項１】
平面視矩形状のコンテナ本体１０と、
レール部３４を備えるとともにコンテナ本体１０に固定可能な固定部材３０ａ，３０ｂと、
前記レール部３４に対してスライド固定可能なスライド部材５４が取り付けられた複数個以上の各々独立した収納袋４０，６０とを備えたことを特徴とするコンテナ１。
【請求項２】
前記収納袋４０，６０は気泡付きプラスチック製シートにより構成されていることを特徴とする請求項１に記載のコンテナ１。
【請求項３】
前記収納袋４０は、矩形状の底部４４と四つの側部４６ａ，４６ｂ，４６ｃ，４６ｄとを備えることを特徴とする請求項１又は請求項２に記載のコンテナ１。
【請求項４】
前記収納袋６０は、矩形状の底部４４と該底部の四辺のうちの対向する二片から立ち上がる二つの側部４６ａ，４６ｃとを備えることを特徴とする請求項１又は請求項２に記載のコンテナ１。
【請求項５】
前記スライド部材５４は、前記収納袋４０，６０に対して、長さを調節可能な取り付けベルト５３によって取り付けられていることを特徴とする請求項１から請求項４のいずれかに記載のコンテナ１。
【請求項６】
前記固定部材３０ａ，３０ｂは、前記コンテナ本体１０の側面の壁部１２ｂ，１２ｄの上端部に嵌合固定可能に設けられたことを特徴とする請求項１から請求項５のいずれかに記載のコンテナ１。
【請求項７】
前記固定部材３０ａ，３０ｂは、前記コンテナ本体１０の側面の壁部１２ｂ，１２ｄの内側に差し込み固定可能であるとともにコンテナ本体１０内に立設可能な差し込み板部を備えていることを特徴とする請求項１から請求項５のいずれかに記載のコンテナ１。
【請求項８】
前記スライド部材８０には、円筒状のスライド嵌合部８２が備えられ、該スライド嵌合部８２の外周部には、それぞれ対向する円弧部８４と面取り部８６が形成され、該円弧部８４と該面取り部８６とは前記レール部３４の収容部３６の高さよりも僅かに大径に形成されるとともに、該円弧部８４と該面取り部８６とが同径に形成されたことを特徴とする請求項１から請求項７のいずれかに記載のコンテナ１。
【考案の詳細な説明】
【技術分野】
【０００１】
この考案は、コンテナに関し、特に、コンテナ本体の内部に複数以上の収納物を独立して収納可能なコンテナに関する。
【背景技術】
【０００２】
従来、コンテナ本体の内部に、複数以上の収納物を個別に収納可能な仕切りを備えたコンテナが知られており、また、さらにコンテナ本体から仕切りを取り出し自在に設けられるものが知られている。このようなコンテナの具体例としては、例えば、山部と谷部とが連続するつづら折り状にしたハンモック材が、折り畳み自在な枠状のコンテナ本体内部に固定可能に収納されるものが知られている（特許文献１参照）。このコンテナでは、ハンモック材の谷部に卵を入れて安全に輸送することを目的としている。
【先行技術文献】
【特許文献】
【０００３】
【特許文献１】特開２００９−８３９０９号公報（図１，図２等）
【考案の概要】
【考案が解決しようとする課題】
【０００４】
しかしながら、このような従来のコンテナには以下のような問題があった。このコンテナでは、つづら折り状のハンモック材を用いているため、収納物の大きさ・形状・数の変更に柔軟に対応することが困難である。これをより詳細に説明すると、このコンテナでは卵を収納することを目的にしており、大きさや形状があらかじめほぼ同一の収納物を収納することが前提となっているため、想定されている単一種類の収納物をできる限り多数、かつ安全に輸送することには優れているが、予め準備された単一のハンモック材に収納物を収納するため、大きさ・形状・数の異なる収納物を輸送することが目的となると、予め定められた谷部の数によって収納数が制限されたり、予め定められた谷部の奥行きによって収納物の大きさや形状が制限されたりするなどの制約を受ける。このため、コンテナに収納される収納物の大きさ・形状・数に制約を受けるというようなコンテナの利便性を損ねる問題が生じていた。
【０００５】
本考案が解決しようとする目的は、上記の従来技術の問題点を解決するものであり、コンテナに収納される収納物の大きさ・形状・数に受ける制約を減少させ、利便性を向上させることのできるコンテナを提供することにある。
【課題を解決するための手段】
【０００６】
本考案の第１の手段は、
平面視矩形状のコンテナ本体１０と、
レール部３４を備えるとともにコンテナ本体１０に固定可能な固定部材３０ａ，３０ｂと、
前記レール部３４に対してスライド固定可能なスライド部材５４が取り付けられた複数個以上の各々独立した収納袋４０，６０とを備えたことを特徴とするコンテナ１である。
【０００７】
本考案では、複数個以上の各々独立した収納袋４０，６０を備えており、かつ、これらの収納袋４０，６０がそれぞれレール部３４に対してスライド固定可能に設けられているので、収納袋４０，６０に収納される収納物の大きさや形状が異なるものであっても、それぞれ独立した収納袋４０，６０がレール部３４に沿ってスライドすることによって、レール部３４におけるスライド方向に沿って、コンテナ本体１０内においてそれぞれの収納袋４０，６０が適切な位置に移動可能となっている。よって、全体がつづら折り状に一体的に形成され各谷部の間隔が一定範囲に制約される従来のハンモック材と比較して、収納物の大きさ・形状・数に受ける制約を減少させることができる
【０００８】
本考案の第２の手段は、
前記収納袋４０，６０は気泡付きプラスチック製シートにより構成されていることを特徴とする第１の手段に記載のコンテナ１である。
【０００９】
本考案では、気泡付きプラスチック製シートにより収納袋４０，６０を構成しているので、収納物の保護をより適切に行うことができる。
【００１０】
本考案の第３の手段は、
前記収納袋４０は、矩形状の底部４４と四つの側部４６ａ，４６ｂ，４６ｃ，４６ｄとを備えることを特徴とする第１の手段又は第２の手段に記載のコンテナ１である。
【００１１】
本考案では、四方を囲むように側部４６ａ，４６ｂ，４６ｃ，４６ｄが形成されているので、収納物の保護をより確実に行うことができる。
【００１２】
本考案の第４の手段は、
前記収納袋６０は、矩形状の底部４４と該底部の四辺のうちの対向する二片から立ち上がる二つの側部４６ａ，４６ｃとを備えることを特徴とする第１の手段又は第２の手段に記載のコンテナ１である。
【００１３】
本考案では、対向する側部４６ａ，４６ｃと底部４４とにより収納物を収納しつつ、コンテナ本体１０から取り出した状態では開放された側部間からも収納物の出し入れができるので、収納物の収納・取り出し作業の利便性を向上させることができる。
【００１４】
本考案の第５の手段は、
前記スライド部材５４は、前記収納袋４０，６０に対して、長さを調節可能な取り付けベルト５３によって取り付けられていることを特徴とする第１の手段から第４の手段のいずれかに記載のコンテナ１である。
【００１５】
本考案では、長さを調節可能な取り付けベルト５３によって収納袋４０，６０に対するスライド部材５４の距離を調節できるので、レール部３４に対する収納袋４０，６０の距離を調節可能となっている。
【００１６】
本考案の第６の手段は、
前記固定部材３０ａ，３０ｂは、前記コンテナ本体１０の側面の壁部１２ｂ，１２ｄの上端部に嵌合固定可能に設けられたことを特徴とする第１の手段から第５の手段のいずれかに記載のコンテナ１である。
【００１７】
本考案では、コンテナ本体１０の側面の壁部１２ｂ，１２ｄの上端部に固定可能な固定部材３０ａ，３０ｂとしているので、固定部材３０ａ，３０ｂのコンテナ本体１０への固定を確実に行うことができる。また、取り外し、すなわち固定部材３０ａ，３０ｂに取り付けられた収納袋４０，６０及び収納物の収納作業を簡便にすることができる。
【００１８】
本考案の第７の手段は、
前記固定部材３０ａ，３０ｂは、前記コンテナ本体１０の側面の壁部１２ｂ，１２ｄの内側に差し込み固定可能であるとともにコンテナ本体１０内に立設可能な差し込み板部を備えていることを特徴とする第１の手段から第５の手段のいずれかに記載のコンテナ１である。
【００１９】
本考案では、コンテナ本体１０の側壁１２ｂ，１２ｄの内側に差し込み固定可能な差し込み板部を設けているので、固定部材３０ａ，３０ｂのコンテナ本体１０への取り外しを容易に行うことができ、すなわち固定部材３０ａ，３０ｂに取り付けられた収納袋４０，６０及び収納物の収納作業を簡便に行うことができる。
【００２０】
本考案の第８の手段は、
前記スライド部材８０には、円筒状のスライド嵌合部８２が備えられ、該スライド嵌合部８２の外周部には、それぞれ対向する円弧部８４と面取り部８６が形成され、該円弧部８４と該面取り部８６とは前記レール部３４の収容部３６の高さよりも僅かに大径に形成されるとともに、該円弧部８４と該面取り部８６とが同径に形成されたことを特徴とする第１の手段から第７の手段のいずれかに記載のコンテナ１である。
【００２１】
本考案では、スライド部材８０の取り付けの際には、レール部３４の収容部３６に対して円弧部８４が対向するようにすることにより、収容部内３６でのスライド嵌合部８２の接触面積を減らして収容部３６内におけるスライド嵌合部８２への摩擦力を低減し、スライド部材８０のスライド移動を容易にすることができる。一方、スライド部材８０を適切な位置まで移動させた後には、スライド嵌合部８２を回転させて収容部３６に面取り部８６が接触するようにする。収容部３６に面取り部８６が接触することにより摩擦力が増加し、収容部３６内でのスライド部材５４の移動を規制することができ、適切な位置においてスライド部材５４を固定することができる。よって、収納作業後の収納袋４０，６０の位置を固定することができる。
【考案の効果】
【００２２】
本考案は上記のように、複数個以上の各々独立した収納袋４０，６０を備えており、かつ、これらの収納袋４０，６０がそれぞれレール部３４に対してスライド固定可能に設けられているので、収納袋４０，６０に収納される収納物の大きさや形状が異なるものであっても、それぞれ独立した収納袋４０，６０がレール部３４に沿ってスライドすることによって、レール部３４におけるスライド方向に沿ってコンテナ本体１０内においてそれぞれの収納袋４０，６０が適切な位置に移動可能となっており、収納物の大きさ・形状・数の変更に柔軟に対応することができ、大きさ・形状・数による収納物の制約を減少させることができる。
【図面の簡単な説明】
【００２３】
【図１】本考案のコンテナの分解斜視図である。
【図２】図１のコンテナの透視斜視図である。
【図３】図１のコンテナの平面図である。
【図４】折り畳み始めた状態のコンテナ本体の斜視図である。
【図５】折り畳んだ状態のコンテナ本体の斜視図である。
【図６】図１のコンテナの正面視縦断面図である。
【図７】収納袋を取り付けた状態の固定部材の右側面図である。
【図８】収納袋の第一の例の斜視図である。
【図９】収納袋の第二の例の斜視図である。
【図１０】スライド部材及び取り付けベルトの拡大図である。
【図１１】別のスライド部材及びレールの拡大図である。
【考案を実施するための形態】
【００２４】
次いで、本考案のコンテナについて、図面を参照して詳細に説明する。本考案のコンテナ１は、図１に示されるように、コンテナ本体１０と、このコンテナ本体１０の上方からその内部に取り付け・取り外しが自在に収容される収納部材２０とからなるものである。
【００２５】
コンテナ本体１０は、図１から図３に示されるように、奥行きが幅方向より長い平面視長方形状の対向する二組の壁部１２ａ，１２ｂ，１２ｃ，１２ｄと、これらの壁部１２ａ〜１２ｄの下端部に連設された底部１４と、壁部１２ａ〜１２ｄの上端部にそれぞれ連設されるように取り付けられた上部枠体１５と、底部１４の外周端と壁部１２ａ〜１２ｄの下端部にそれぞれ連設されるように取り付けられた下部枠体１６とが備えられている。また、正面側と背面側の壁部１２ａ，１２ｃの上部には、コンテナ１の持ち運びの際の利便性を向上させるための持ち運び用の取っ手孔１１が開設されている。
【００２６】
また、このコンテナ本体１０は、図４に示されるように、収納部材２０を取り外した状態において、その上下方向に圧縮されるように折り畳み自在に設けられている。これを具体的に説明すると、まず最初に、コンテナ本体１０の正面側と背面側の壁部１２ａ，１２ｃを、コンテナ本体１０の内側に向けて上部枠体１５を支点にして上方に跳ね上げるように折り畳む。ついで、側面の壁部１２ｂ、１２ｄを、コンテナ本体１０の内側に向けて、その横方向に沿って形成された屈曲部１７を支点にして折り畳む。このようにして、図５に示されるように、その高さが上部枠体１５及び下部枠体１６の高さにほぼ近い程度にコンテナ本体１０を折り畳むことができる。収納物を収納していない場合には、このようにして容積を減少させて、可搬性を向上させることができる。
【００２７】
ついで、収納部材２０について説明する。収納部材２０は、コンテナ本体１０に直接固定される二つの固定部材３０ａ，３０ｂと、これらの固定部材３０間に一列に並べて垂下されてスライド自在に取り付けられる多数の収納袋４０、６０とを備えている。
【００２８】
図１から図３に示されるように、固定部材３０ａ，３０ｂは、それぞれ長板状に形成され、収納袋４０，６０を挟んで対称となる形状に形成されている。固定部材３０ａ、３０ｂには、コンテナ本体１０の側面の壁部１２ｂ、１２ｄにそれぞれ挿嵌固定される挿嵌固定部３２と、挿嵌固定部３２の内側面に形成されるとともに、後述するスライド部材５４がスライド自在に取り付け可能なレール部３４とが備えられている。
【００２９】
挿嵌固定部３２は、図１、図２及び図６に示されるように、正面視において下方が開口された断面「コ字」状に形成されており、この挿嵌固定部３２の下方からコンテナ本体１０の壁部１２ｂ、１２ｄが挿嵌固定可能に設けられている。
【００３０】
挿嵌固定部３２の正面視の内側面にはレール部３４が形成されている。レール部３４は内側側方に向けて開口された断面「コ字」状に形成されており、その内側には、上下方向にスライド部材５４を収容係止する収容部３６が設けられている。また、この収容部３６の先端開口には、収容部３６の上下方向の長さよりも短くなるように、上下方向からそれぞれ突設された嵌合片３８が突設されている。後述するように、スライド部材５４のスライド嵌合部５６はこの嵌合片３８間にスライド自在に嵌合されて、レール部３４に対して取り付けられている。なお、レール部３４は挿嵌固定部３２よりもやや長く、挿嵌固定部３２の前後にもそれぞれ突設するようにして形成されている。
【００３１】
ついで収納袋４０，６０について説明する。前述したように、収納袋４０，６０は二つの固定部材３０ａ，３０ｂにそれぞれ取り付けられて、固定部材３０ａ，３０ｂ間に垂下されるように取り付けられている。図１から図３、図７に示されるように、固定部材３０ａ，３０ｂには、二つの種類の形状の収納袋４０，６０が取り付けられている。また、本例では、収納袋４０，６０がそれぞれ３つずつ、固定部材３０ａ，３０ｂの長手方向に沿って、一列に取り付けられている。
【００３２】
各収納袋４０，６０はそれぞれ独立して形成されているものであり、さらに、固定部材３０ａ，３０ｂのレール部３４に対してそれぞれスライド自在に取り付けられている。したがって、例えば収納袋４０、６０に収納される収納物の大きさが異なる場合などには、レール部３４に対する位置を自由にスライドさせることができる。例えば、正面寄りの３つの収納袋４０には前後方向に大きな収納物を、背面寄りの３つの収納袋６０には薄型の収納物を、それぞれ収納するような場合には、背面寄りの３つの収納袋６０の固定部材３０ａ，３０ｂに対する位置を背面寄りにスライドさせることにより、正面寄りの収納袋４０への大きな収納物の収納を容易に行うことができる。
【００３３】
また、各収納袋４０，６０は独立しているので、その種類・数を容易に変更することができる。よって、例えば、比較的厚みのある収納物のみを収納したい場合には、収納袋４０，６０の数を減らしても良い。逆に、比較的厚みの無い収納物のみを収納したい場合には、収納袋４０，６０の数を増やしても良い。
【００３４】
ついで、収納袋４０の詳細について、図８を参照して説明する。収納袋４０は、袋状に形成された収納部４２と、収納部４２を固定部材３０ａ，３０ｂにそれぞれ取り付けるための取付部５０とを備えている。収納部４２はいわゆる気泡付きプラスチック製シートから形成されており、外部からの衝撃などから収納物を適切に保護することができる。また、収納部４２は横長矩形状の底部４４と、側部４６ａ，４６ｂ，４６ｃ，４６ｄを備えており、上部には収納物を収納するための開口部４８が開設されている。
【００３５】
また、両側面側の側部４６ｂと側部４６ｄは、底部４４との間には切り込み４３が設けられている。底部４４及び側部４６ｂ、側部４６ｄの前後方向における中央の部位には、折れ目線４５が予め形成されており、切り込み４３を開くようにして折れ目線４５に沿って収納部４２全体を折り畳むことができる。
【００３６】
正面側の側部４６ａと背面側の側部４６ｃとの上部には、横方向に薄く貫通した袋状の差し込み部４７がそれぞれ形成されており、この差し込み部４７に、薄板状の取付部５０が挿通して固定されている。また、取付部５０の両端付近には、取り付けベルト５３が挿通される挿通孔５２がそれぞれ開設されている。
【００３７】
図１０に示されるように、それぞれの挿通孔５２には、一方にはスライド部材５４が挿通された取り付けベルト５３が挿通されている。取り付けベルト５３は、一端側を他端側の途中の挿通部５９に挿通固定することが可能となっており、その固定位置を変更することにより、後述するように、挿通孔５２からのスライド部材５４の距離を調整することができるように構成されている。
【００３８】
また、図１０に示されるように、スライド部材５４には、取り付けベルト５３が挿通固定される挿通部５５と、この挿通部５５の一端側に連設された「ボビン」形状のスライド嵌合部５６とが備えられている。スライド嵌合部５６は軸心方向の両端の大径部５７ａ、５７ｂと、大径部５７ａ，５７ｂ間の小径部５８とから構成されている。スライド部材５４は、スライド嵌合部５６が、図１や図２に示されるように、固定部材３０ａ，３０ｂのレール部３４にスライド嵌合されて、固定部材３０ａ．３０ｂに対してスライド自在に取り付けられている。図６に示されるように、スライド嵌合部５６は、その先端側の大径部５７ａが固定部材３０ａ，３０ｂのレール部３４の嵌合片３８に係止固定されて、レール部３４からの脱落を防止されている。なお、スライド部材５４の固定部材３０ａ，３０ｂへの取り付け・取り外しは、レール部３４の長手方向の端部に取り付けられたゴム製の止め具３５を取り外して、この端部から行う。本例のような収納袋４０では側方すべてを側部４６ａ，４６ｂ，４６ｃ，４６ｄによって囲まれているので、特に、収納袋４０をコンテナ本体１０から取り出した状態においても、収納袋４０内に収納した収納物が脱落するおそれを防止することができる。
【００３９】
ついで、固定部材３０ａ，３０ｂに取り付けられる別の収納袋６０について説明する。収納袋６０は、前述した収納袋４０が側方すべてを側部４６ａ，４６ｂ，４６ｃ，４６ｄによって囲まれているのに対して、正面側の側部４６ａと背面側の側部４６ｃのみが設けられている点が相違し、その他の構成については共通するものである。このように、収納袋６０では、収納部４２の両側方が開放されているので、上部の開口部４８からは収納物の収納作業が困難な場合であっても、側方から収納物を収納することができ、収納作業の際の利便性を向上させることができる。また、この収納袋６０においても、コンテナ本体１０に取り付けられた際には、コンテナ本体１０の側面の壁部１２ｂ、１２ｄによって収納袋６０の両側方が覆われるので、収納物の脱落のおそれは少ない。
【００４０】
本コンテナ１については上記のように構成することとしたが、本発明はこれに限られず、本発明の主旨の範囲内において種々の変更が可能である。例えば、固定部材３０ａ、３０ｂは、挿嵌固定部３２によってコンテナ本体１０の側面の壁部１２ｂ、１２ｄの上端部にそれぞれ挿嵌固定されるものとしたが、図示は省略するが、コンテナ本体１０の側面の壁部１２ｂ、１２ｄの内側に差し込み固定可能であるとともにコンテナ本体内に立設可能な差し込み板部を備えるようにして、コンテナ本体１０内に収納部材２０全体を収納するだけで取り付け作業が完了し、壁部１２ｂ，１２ｄへの嵌合のための正確な位置決め作業を不要とするような固定部材とすることもできる。
【００４１】
また、スライド部材は上記したようなスライド部材５４に限られず、他の形状や大きさのものとしても良い。例えば図１１に示されるのは、ほぼ円筒状のスライド嵌合部８２が備えられ、このスライド嵌合部８２の外周部に、それぞれ対向する円弧部８４と面取り部８６が形成され、円弧部８４と面取り部８６とは、レール部３４内の収容部３６の高さよりも僅かに大径に形成されるとともに、円弧部８４と面取り部８６とがほぼ同径に形成されたスライド部材８０である。このようにスライド部材８０を構成することにより、スライド部材８０のレール部３４への取り付けの際には、レール部３４の収容部３６に対して円弧部８４が対向するように位置することにより、収容部３６内でのスライド嵌合部８２の接触面積を減らして収容部３６内におけるスライド嵌合部８２への摩擦力を低減し、スライド部材８０のスライド移動を容易にすることができる。一方、スライド部材８０を適切な位置まで移動させた後には、スライド嵌合部８２を回転させて収容部３６に面取り部８６が対向して接触するようにする。すると、収容部３６に面取り部８６が接触することにより摩擦力が増加し、収容部３６内でのスライド部材８０の移動を規制することができ、適切な位置においてスライド部材８０を一時的に固定することができる。よって、収納作業後の各収納袋４０，６０の位置を固定することができる。
【００４２】
また、各収納袋４０，６０を固定部材３０ａ，３０ｂから取り外した際などに、収納物を収納袋４０や収納袋６０ごと運ぶ際の利便性を向上させるために、収納袋４０，６０の
【産業上の利用可能性】
【００４３】
本考案は多数の収納物を運ぶためのコンテナとして広く用いることができる。
【符号の説明】
【００４４】
１；コンテナ
１０；コンテナ本体
１１；取っ手孔
１２ａ，１２ｂ，１２ｃ，１２ｄ；壁部
１４；底部
１５；上部枠体
１６；下部枠体
１７；屈曲部
２０；収納部材
３０ａ，３０ｂ；固定部材
３２；挿嵌固定部
３４；レール部
３５；止め具
３６；収容部
３８；嵌合片
４０；収納袋
４２；収納部
４３；切り込み
４４；底部
４５；折れ目線
４６ａ，４６ｂ，４６ｃ，４６ｄ；側部
４７；差し込み部
４８；開口部
５０；取付部
５２；挿通孔
５３；取り付けベルト
５４；スライド部材
５５；挿通部
５６；スライド嵌合部
５７ａ，５７ｂ；大径部
５８；小径部
５９；挿通部
６０；収納袋
８０；スライド部材
８２；スライド嵌合部
８４；円弧部
８６；面取り部
【図１】
0003164741.tif 000003
【図２】
0003164741.tif 000004
【図３】
0003164741.tif 000005
【図４】
0003164741.tif 000006
【図５】
0003164741.tif 000007
【図６】
0003164741.tif 000008
【図７】
0003164741.tif 000009
【図８】
0003164741.tif 000010
【図９】
0003164741.tif 000011
【図１０】
0003164741.tif 000012
【図１１】
0003164741.tif 000013